(57)【要約】【課題】レール継目部の塗油作業を効率化するとともに、塗油作業における視認性を向上する。【解決手段】継目塗油装置１は、レール継目部に塗油するためのものであり、車輪２と、油タンク３と、ノズル４とを備える。車輪２は、レール上を移動するために設けられる。油タンク３は、油を収容する。ノズル４は、油タンク３に収容された油を拡散せずに射出する。継目塗油装置１は、レール上を推されて移動しながら、ノズル４から油を射出することによって、レール継目部に線状に塗油する。これにより、継目塗油装置１は、作業員の前に位置し、油を拡散せずに射出する。【選択図】図３
2015074407.tif 000002
【特許請求の範囲】
【請求項１】
レール継目部に塗油するための継目塗油装置であって、
レール上を移動するための車輪と、
油を収容する油タンクと、
前記油タンクに収容された油を拡散せずに射出するノズルとを備え、
レール上を推されて移動しながら前記ノズルから油を射出することによって、レール継目部に線状に塗油することを特徴とする継目塗油装置。
【請求項２】
レール継目部を検知する継目検知部と、
前記ノズルからの油の射出を制御する制御部とをさらに備え、
前記制御部は、前記継目検知部によるレール継目部の検知に基づき、前記ノズルからの油の射出を開始及び停止することを特徴とする請求項１に記載の継目塗油装置。
【請求項３】
前記継目検知部は、下方に突出して先端側が後方に可動の棒状部材を有し、前記棒状部材がレール継目部の一部と接触することによってレール継目部を検知することを特徴とする請求項２に記載の継目塗油装置。
【請求項４】
前記ノズルを支持する支持部を有し、
前記支持部は、レール頭部上を転動するコロと、レール頭部の側部に接触するガイド車輪とを有することを特徴とする請求項２又は請求項３に記載の継目塗油装置。
【発明の詳細な説明】
【技術分野】
【０００１】
本発明は、レール継目部に塗油するための継目塗油装置に関する。
【背景技術】
【０００２】
鉄道の線路において、長手方向に隣接する２本のレールを接続するレール継目部がある（例えば、特許文献１参照）。図６に示されるように、レール継目部１０は、レール１１の端部に設けられ、継目板１２と、継目板締結ボルト１３とを有する。継目板１２は、２本のレール１１を両側面から挟む。継目板締結ボルト１３は、継目板１２をレール１１に締結する。２本のレール１１の端部の間には、温度変化によるレールの伸縮を許容するための遊間１４が設けられる。レールが伸縮する時の抵抗を低減するために、レール継目部１０は塗油される。レール継目部１０の塗油作業は、春と秋の年２回行われる。レール継目部１０の塗油作業を手作業で行うことは効率的ではない。
【０００３】
レール継目部の塗油作業の効率化を図るため、自走車に油タンク及び塗油ノズル等を搭載し、上方からレール継目部に油を噴射するレール締結部塗油装置が知られている（例えば、特許文献２参照）。作業員は、塗油作業開始時にレール締結部塗油装置をレールに載せ（載線）、塗油作業後に線路外に撤去する。このレール締結部塗油装置は、塗油のための油タンク等に加え、自走するためのエンジン等を搭載するので、非常に重くなり、載線及び撤去が容易ではない。また、このレール締結部塗油装置は、自走車の前部に塗油ノズルが配置されている。このため、塗油ノズルから噴射された油が霧状に飛散して、自走車に乗っている作業員にかかるので、塗油作業が容易ではない。
【０００４】
上述のような問題を回避するために、軌道自動自転車の後ろに連結して使用する継目塗油装置が作られた（図示せず）。この継目塗油装置は、車輪を有するフレームに油タンク及び塗油ノズル等を搭載し、自走機能を持たず、軌道自動自転車に牽引される。軌道自動自転車とは、作業員が線路の保守において線路上を移動する手段であり、エンジンで自走する（例えば、特許文献３参照）。このような牽引される継目塗油装置は、自走するためのエンジン等を搭載しないので、軽量となる。また、この継目塗油装置は、軌道自動自転車の後ろで油を噴射するので、噴射されて飛散する油が軌道自動自転車に乗っている作業員にかからない。
【０００５】
しかしながら、このような継目塗油装置を線路で安全に用いるには、軌道自動自転車に乗る作業員として、監督と、前を向いて軌道自動自転車を操作する操作員に加え、後ろを向いて継目塗油装置を操作するオペレータの合計３人が必要であり、塗油作業が効率的とはいえない。また、軌道自動自転車として、２人乗りでは不十分であり、３人が乗れるものが必要である。さらに、後ろを向いたオペレータにとって、レール継目部が背後から視野に入ってくるので、塗油作業における視認性が良くない。
【先行技術文献】
【特許文献】
【０００６】
【特許文献１】特開２００６−３２８６４３号公報
【特許文献２】特開２００１−２７８０４４号公報
【特許文献３】特開２００６−３１２４１７号公報
【発明の概要】
【発明が解決しようとする課題】
【０００７】
本発明は、上記問題を解決するものであり、レール継目部の塗油作業を効率化するとともに、塗油作業における視認性を向上することを目的とする。
【課題を解決するための手段】
【０００８】
本発明の継目塗油装置は、レール継目部に塗油するためのものであって、レール上を移動するための車輪と、油を収容する油タンクと、前記油タンクに収容された油を拡散せずに射出するノズルとを備え、レール上を推されて移動しながら前記ノズルから油を射出することによって、レール継目部に線状に塗油することを特徴とする。
【０００９】
この継目塗油装置において、レール継目部を検知する継目検知部と、前記ノズルからの油の射出を制御する制御部とをさらに備え、
前記制御部は、前記継目検知部によるレール継目部の検知に基づき、前記ノズルからの油の射出を開始及び停止することが好ましい。
【００１０】
この継目塗油装置において、前記継目検知部は、下方に突出して先端側が後方に可動の棒状部材を有し、前記棒状部材がレール継目部の一部と接触することによってレール継目部を検知することが好ましい。
【００１１】
この継目塗油装置において、前記ノズルを支持する支持部を有し、前記支持部は、レール頭部上を転動するコロと、レール頭部の側部に接触するガイド車輪とを有することが好ましい。
【発明の効果】
【００１２】
本発明の継目塗油装置によれば、継目塗油装置がレール上を推されて移動するので、継目塗油装置が作業員の前に位置することになり、後ろを向く作業員が不要となり、レール継目部の塗油作業が効率化されるとともに、塗油作業における視認性が向上する。継目塗油装置が作業員の前に位置しても、油は、拡散せずに射出されるので、作業員にかからない。油が拡散せずに射出されるので、油の消費量が低減される。また、この継目塗油装置は、自走するためのエンジン等が不要となり、軽量化される。
【図面の簡単な説明】
【００１３】
【図１】本発明の一実施形態に係る継目塗油装置の側面図。
【図２】同継目塗油装置の正面図。
【図３】同継目塗油装置の斜視図。
【図４】同継目装置におけるノズル周辺の斜視図。
【図５】レール継目部の断面図。
【図６】レール継目部の側面図。
【発明を実施するための形態】
【００１４】
本発明の一実施形態に係る継目塗油装置を図１乃至図５を参照して説明する。図１乃至図３に示されるように、継目塗油装置１は、レール継目部に塗油するためのものであり、車輪２と、油タンク３と、ノズル４とを備える。車輪２は、レール上を移動するために設けられる。油タンク３は、油を収容する。ノズル４は、油タンク３に収容された油を拡散せずに射出する。本実施形態では、継目塗油装置１は、線路上での保守用の移動手段である軌道自動自転車（図示せず）の前に連結され、軌道自動自転車によって推進される。継目塗油装置１は、レール上を推されて移動しながら（図１、図３のＸ方向）、ノズル４から油を射出することによって（図１〜図３の矢印Ａ）、レール継目部に線状に塗油する。
【００１５】
継目塗油装置１は、継目検知部５と、制御部６とをさらに備える。継目検知部５は、レール継目部を検知する。制御部６は、継目検知部５によるレール継目部の検知に基づき、ノズル４からの油の射出を開始及び停止する。
【００１６】
図４に示されるように、継目検知部５は、棒状部材５１を有する。棒状部材５１は、下方に突出して先端側が後方（矢印Ｂの方向）に可動である。継目検知部５は、棒状部材５１がレール継目部の一部と接触することによってレール継目部を検知する。本実施形態では、棒状部材５１が接触する部分は、継目板締結ボルトである。
【００１７】
継目塗油装置１は、ノズル４を支持する支持部７を有する。支持部７は、コロ７１と、ガイド車輪７２とを有する。コロ７１は、レール頭部上を転動する。ガイド車輪７２は、レール頭部の側部に接触する。
【００１８】
継目塗油装置１の各構成をさらに詳述する。継目塗油装置１は、構造部材として、フレーム８を有する（図３参照）。本実施形態では、フレーム８は、軽量化のため、アルミニウム製である。左右一対の車輪２が、フレーム８の前側下部に回転可能に設けられる。フレーム８は、軌道自動自転車と連結するため、後部に突出した連結部８１を有する。フレーム８には、油タンク３及び制御部６の他に、コンプレッサ８２、エアタンク８３、前照灯８４、及び、発電機８５が搭載される。また、ノズル４を有する塗油ユニット９が、フレーム８に取り付けられる。塗油ユニット９は、左右のレールに対応して、継目塗油装置１の左右各々の下部付近に設けられる（図２参照）。
【００１９】
油タンク３は、レール継目部に塗油する油を収容する容器であり、ノズル４に油を供給する。なお、図１〜図４において、油タンク３とノズル４とを接続する配管は、図示を省略している。
【００２０】
継目塗油装置１は、左右一対の各レールの両側面に取り付けられた継目板に対応して、４つのノズル４を有する（２×２＝４）。図５に示されるように、各々のノズル４は、先端がレール継目部１０におけるレール１１と継目板１２との境の方向に向けられ、斜め下方に油を射出する。ノズル４には、油を拡散せずに射出するために、油を噴霧せずに真直ぐに飛ばすタイプが用いられる。本実施形態では、ノズル４は、スプレーガンであり、そのスプレーパターンがピンポイント押し出し塗布である（ユニコントロールズ株式会社製、型番ＳＰＶ−ＳＴ−６ＰＲ）。なお、ノズル４として、ニードルノズルを用いてもよい。
【００２１】
継目検知部５は、リミットスイッチ５２のレバーに棒状部材５１を取り付けたものである（図４参照）。棒状部材５１は、通常は、下方に突出しており、レール継目部の一部と接触すると、先端側が後方に動き、リミットスイッチ５２が動作する。リミットスイッチ５２の出力は、制御部６に入力される（図３参照）。
【００２２】
制御部６は、エアーユニットとも呼ばれ、コンプレッサ８２の運転や、ノズル４の動作のためのエア供給を制御する電気回路である。制御部６は、タイマを有する。このタイマの調整によって、継目検知部５によるレール継目部の検知に基づく油の出射の開始及び停止のタイミングが調整される。
【００２３】
コンプレッサ８２は、圧縮空気を作る。圧縮空気は、エアタンク８３に蓄えられる。エアタンク８３に蓄えられた圧縮空気は、制御部６を介してノズル４等に供給される。前照灯８４は、前方を照らす灯具である。発電機８５は、発動発電機であり、制御部６、コンプレッサ８２、及び、前照灯８４等に電力を供給する。
【００２４】
塗油ユニット９は、フレーム８に対して上下及び左右方向に可動とされた可動板９１を有する。可動板９１の下側には、支持部７が押ばね９２を介して取り付けられる。塗油ユニット９は、上下シリンダ９３及び左右シリンダ９４を有する。可動板９１は、上下シリンダ９３によって昇降される。上下シリンダ９３は、可動板９１を降下することによって、コロ７１がレール頭部に押し付ける。また、可動板９１は、左右シリンダ９４によって左右に動かされる。左右シリンダ９４は、ガイド車輪７２をレール頭部の側部に押し付ける。上下シリンダ９３及び左右シリンダ９４は、圧縮空気で動作する。上下シリンダ９３及び左右シリンダ９４に供給される圧縮空気は、オペレータの操作に基づき、制御部６によって制御される。なお、左右方向とは、レールに直交する横方向、すなわち、マクラギ方向である。
【００２５】
上記のように構成された継目塗油装置１を用いたレール継目部の塗油作業について説明する。先ず、軌道自動自転車がレールに載せられる。次に、発電機８５を取り外した継目塗油装置１がレールに載せられ、発電機８５が継目塗油装置１に搭載される。継目塗油装置１は、軌道自動自転車の前に連結される。
【００２６】
作業員として、監督とオペレータの合計２人が軌道自動自転車に乗る。オペレータは、前を向き、監督の指示に従って、継目塗油装置１及び軌道自動自転車を操作する。上下シリンダ９３及び左右シリンダ９４を動かして、コロ７１をレール頭部に押し付けるとともに、ガイド車輪７２をレール頭部の側部に押し付ける。これにより、ノズル４は、レールに対して、上下及び左右方向において位置決めされる。オペレータは、軌道自動自転車をほぼ一定速度で走らせる。継目検知部５がレール継目部を検知すると、継目塗油装置１は、自動的にレール継目部に塗油する。継目塗油装置１がレール方向に移動し、油を拡散せずに射出するので、塗油範囲は、レール方向の線状となる。
【００２７】
所定区間におけるレール継目部の塗油作業が終了すると、継目塗油装置１及び軌道自動自転車が、線路外に撤去される。
【００２８】
以上、本実施形態に係る継目塗油装置１によれば、継目塗油装置１がレール上を推されて移動するので、継目塗油装置１が作業員の前に位置することになり、後ろを向く作業員が不要となり、レール継目部の塗油作業が効率化されるとともに、塗油作業における視認性が向上する。継目塗油装置１が作業員の前に位置しても、油は、拡散せずに射出されるので、作業員にかからない。油が拡散せずに射出されるので、油の消費量が低減される。また、この継目塗油装置１は、自走するためのエンジン等が不要となり、軽量化される。
【００２９】
制御部６が、継目検知部５によるレール継目部の検知に基づき、ノズル４からの油の射出を開始及び停止するので、作業員の負担が軽減され、レール継目部の塗油作業が効率化される。
【００３０】
棒状部材５１がレール継目部の一部と接触することによってレール継目部を検知するので、継目検知部５によって、確実にレール継目部が検知される。
【００３１】
ノズル４を支持する支持部７がレール頭部上を転動するコロと、レール頭部の側部に接触するガイド車輪とを有するので、ノズル４が、レールに対して、上下及び左右方向において位置決めされ、ノズル４から射出される油を精度良くレール継目部に命中させることができる。
【００３２】
なお、本発明は、上記の実施形態の構成に限られず、発明の要旨を変更しない範囲で種々の変形が可能である。例えば、継目検知部５として、棒状部材５１及びリミットスイッチ５２の代わりに、レール継目部を非接触で検知する近接センサを用いてもよい。また、継目塗油装置１を推進する手段は、軌道自動自転車に限られず、例えば、人力で走行する軌道自転車で継目塗油装置１を推進してもよい。
【符号の説明】
【００３３】
１  継目塗油装置
２  車輪
３  油タンク
４  ノズル
５  継目検知部
５１  棒状部材
６  制御部
７  支持部
７１  コロ
７２  ガイド車輪
【図１】
2015074407.tif 000003
【図２】
2015074407.tif 000004
【図３】
2015074407.tif 000005
【図４】
2015074407.tif 000006
【図５】
2015074407.tif 000007
【図６】
2015074407.tif 000008